(57)【要約】      （修正有）【課題】ギアケースカバーの着脱の容易性と装着状態の安定性を実現した手持ち式電動グラインダを提供する。【解決手段】ハウジングの前側に前方からのネジ１７ａ，１７ｂ，１７ｃ，１７ｄによって螺着される金属製のギアケース１３を備える手持ち式電動グラインダにおいて、ギアケース１３にはギアケース１３を上方から覆う樹脂製のギアケースカバー４１が装着可能であり、ギアケース１３には被係止部１３ｂ，１３ｂが形成されており、ギアケースカバー４１には被係止部１３ｂ，１３ｂに係止する係止部４３，４３が形成されるとともにネジ１７ａ，１７ｂが挿通する孔４２ｂ，４２ｂが形成されており、ギアケースカバー４１は、係止部１３ｂ，１３ｂの被係止部１３ｂ，１３ｂへの係止とネジ１７ａ，１７ｂによる螺着とを併用することで、ギアケース１３へ装着されるように構成されていることを特徴とする。【選択図】図７
2015205381.tif 000002
【特許請求の範囲】
【請求項１】
回転軸を有するモータと、把持部が形成され前記モータを収納するハウジングと、前記ハウジングの前側に前方からの複数のネジによって螺着される金属製のギアケースと、  前記ギアケースから下方に突出し前記回転軸の軸線と交差する軸線を有するスピンドルと、前記ギアケースに収納され前記回転軸の回転を前記スピンドルに伝達する駆動伝達部と、前記スピンドルの下端部に取り付けられる回転工具と、を備える手持ち式電動グラインダにおいて、
前記ギアケースには前記ギアケースを上方から覆う樹脂製のギアケースカバーが装着可能であり、
前記ギアケースには被係止部が形成されており、
前記ギアケースカバーには前記被係止部に係止する係止部が形成されるとともに前記ネジが挿通する孔又は溝が形成されており、
前記ギアケースカバーは、前記係止部の前記被係止部への係止と前記ネジによる螺着とを併用することで、前記ギアケースへ装着されるように構成されていることを特徴とする手持ち式電動グラインダ。
【請求項２】
回転軸を有するモータと、把持部が形成され前記モータを収納するハウジングと、前記ハウジングの前側に連結される金属製のギアケースと、前記ギアケースから下方に突出し前記回転軸の軸線と交差する軸線を有するスピンドルと、前記ギアケースに収納され前記回転軸の回転を前記スピンドルに伝達する駆動伝達部と、前記スピンドルの下端部に取り付けられる回転工具と、を備える手持ち式電動グラインダにおいて、
前記ギアケースには前記ギアケースを上方から覆う樹脂製のギアケースカバーが装着可能であり、
前記ギアケースには複数の被係止部が形成されており、
前記ギアケースカバーには前記複数の被係止部にそれぞれ係止する複数の係止部が形成されており、
前記ギアケースカバーの前記ギアケースへの装着時は、前記複数の係止部の少なくとも１箇所を弾性変形によって非係止状態から係止状態へ移行させて係止するように構成されていることを特徴とする手持ち式電動グラインダ。
【請求項３】
前記被係止部は側面視で離間した３箇所に形成されており、３箇所を結ぶ線は三角形を形成していることを特徴とする請求項２に記載の手持ち式電動グラインダ。
【発明の詳細な説明】
【技術分野】
【０００１】
本発明は、手持ち式電動グラインダに関し、特に、駆動源の回転駆動力を先端工具に伝達するための駆動力伝達部を収納するギアケースを備える手持ち式電動グラインダに関する。
【背景技術】
【０００２】
一般的に、手持ち式電動グラインダは、駆動源となるモータと、把持部が形成されモータを収納するハウジングと、ハウジングの前側に接続される金属製のギアケースと、ギアケースから下方に突出するスピンドルと、スピンドルの下端部に取り付けられる回転工具とを備えている。ギアケースにはモータの回転軸の回転をスピンドルに伝達するための歯車等からなる駆動伝達部が収納されている。また、回転工具としては、砥石やカッター等が用いられ、回転工具の回転により金属やコンクリート等に対して研削や切断等の加工作業を行うことができる（例えば、下記特許文献１，２参照）。このような手持ち式電動グラインダを長時間運転した場合は、駆動伝達部における歯車同士の噛み合い等により発生する熱や加工作業により加熱された回転工具からの熱の伝達により、ギアケースが高温となり、使用者が触れた場合には不快感を与えていた。この対策として、金属製のギアケースを樹脂製のギアケースカバーで覆うことが考えられる。
【０００３】
下記特許文献３には、ギアケースを覆うギアケースカバー（カバー）をハウジングに形成された風窓（通風口）を利用して着脱可能に装着できるように構成したことで、ギアケースカバーの着脱の容易性と装着状態の安定性を実現した電動工具に関する発明が記載されている。
【先行技術文献】
【特許文献】
【０００４】
【特許文献１】特開２０１１−８３８４８号公報
【特許文献２】特開２００２−６６８９７号公報
【特許文献３】特許第４３９６４４７号公報
【発明の概要】
【発明が解決しようとする課題】
【０００５】
ところが、上述の特許文献３に記載されている具体的構成を手持ち式電動グラインダに採用することは、電動工具の構造上の違いから容易ではなく、そのため、手持ち式電動グラインダに適した新たなギアケースカバー装着形態を発案する必要があった。
【０００６】
本発明は、上述した課題の存在に鑑みてなされたものであって、その目的は、ギアケースカバーの着脱の容易性と装着状態の安定性を実現した手持ち式電動グラインダを提供することである。
【課題を解決するための手段】
【０００７】
本発明に係る手持ち式電動グラインダは、回転軸を有するモータと、把持部が形成され前記モータを収納するハウジングと、前記ハウジングの前側に前方からの複数のネジによって螺着される金属製のギアケースと、前記ギアケースから下方に突出し前記回転軸の軸線と交差する軸線を有するスピンドルと、前記ギアケースに収納され前記回転軸の回転を前記スピンドルに伝達する駆動伝達部と、前記スピンドルの下端部に取り付けられる回転工具と、を備えており、前記ギアケースには前記ギアケースを上方から覆う樹脂製のギアケースカバーが装着可能であり、前記ギアケースには被係止部が形成されており、前記ギアケースカバーには前記被係止部に係止する係止部が形成されるとともに前記ネジが挿通する孔又は溝が形成されており、前記ギアケースカバーは、前記係止部の前記被係止部への係止と前記ネジによる螺着とを併用することで、前記ギアケースへ装着されるように構成されていることを特徴とする。
【０００８】
また、本発明に係る手持ち式電動グラインダは、回転軸を有するモータと、把持部が形成され前記モータを収納するハウジングと、前記ハウジングの前側に連結される金属製のギアケースと、前記ギアケースから下方に突出し前記回転軸の軸線と交差する軸線を有するスピンドルと、前記ギアケースに収納され前記回転軸の回転を前記スピンドルに伝達する駆動伝達部と、前記スピンドルの下端部に取り付けられる回転工具と、を備えており、前記ギアケースには前記ギアケースを上方から覆う樹脂製のギアケースカバーが装着可能であり、前記ギアケースには複数の被係止部が形成されており、前記ギアケースカバーには前記複数の被係止部にそれぞれ係止する複数の係止部が形成されており、前記ギアケースカバーの前記ギアケースへの装着時は、前記複数の係止部の少なくとも１箇所を弾性変形によって非係止状態から係止状態へ移行させて係止するように構成されていることを特徴とする。
【０００９】
本発明に係る手持ち式電動グラインダにおいては、前記被係止部は側面視で離間した３箇所に形成されており、３箇所を結ぶ線は三角形を形成していることとすることができる。
【発明の効果】
【００１０】
本発明によれば、ギアケースカバーの着脱の容易性と装着状態の安定性を実現した手持ち式電動グラインダを提供することができる。
【図面の簡単な説明】
【００１１】
【図１】本発明の第一の実施形態に係る手持ち式電動グラインダを上方から見た図である。
【図２】本発明の第一の実施形態に係る手持ち式電動グラインダを右方から見た図である。
【図３】本発明の第一の実施形態に係る手持ち式電動グラインダを前方から見た図である。
【図４】図３におけるＡ−Ａ断面の要部を示す図である。
【図５】図３におけるＢ−Ｂ断面の要部を示す図である。
【図６】図３におけるＣ−Ｃ断面の要部を示す図である。
【図７】図２におけるＤ−Ｄ断面を示す図である。
【図８】本発明の第一の実施形態に係る手持ち式電動グラインダを右方から見た図の要部であり、ギアケースカバーを非装着で使用する場合を示している。
【図９】本発明の第二の実施形態に係る手持ち式電動グラインダを上方から見た図の要部である。
【図１０】本発明の第二の実施形態に係る手持ち式電動グラインダを右方から見た図の要部である。
【図１１】本発明の第二の実施形態に係る手持ち式電動グラインダを前方から見た図である。
【図１２】図１１におけるＥ−Ｅ断面の要部を示す図である。
【図１３】図１１におけるＦ−Ｆ断面の要部を示す図である。
【図１４】本発明の第二の実施形態に係る手持ち式電動グラインダを右方から見た図の要部であり、ギアケースカバーを非装着で使用する場合を示している。
【発明を実施するための形態】
【００１２】
以下、本発明を実施するための好適な実施形態について図を用いて説明する。なお、以下の実施形態は、各請求項に係る発明を限定するものではなく、また、実施形態の中で説明されている特徴の組み合わせの全てが発明の解決手段に必須であるとは限らない。
【００１３】
まず、図１〜図５を参照して本発明の第一の実施形態に係る手持ち式電動グラインダの基本構造について説明する。
【００１４】
図１は本発明の第一の実施形態に係る手持ち式電動グラインダを上方から見た図である。図２は本発明の第一の実施形態に係る手持ち式電動グラインダを右方から見た図である。図３は本発明の第一の実施形態に係る手持ち式電動グラインダを前方から見た図である。図４は図３におけるＡ−Ａ断面の要部を示す図である。図５は図３におけるＢ−Ｂ断面の要部を示す図である。また、本明細書では、図中に示すように「前、後、左、右、上、下」を規定して説明する。
【００１５】
図１〜図５に示されるように、本発明の第一の実施形態に係る手持ち式電動グラインダ１０は、作業者が把持することができるように略円筒状に形成されたハウジング１１と、ハウジング１１の前側に配置されるギアケース１３と、ギアケース１３の下方に配置される回転工具としての円盤状の砥石２１とを備えて構成されている。
【００１６】
ハウジング１１は、駆動源となるモータ３１の主要部を内部に収納するケーシングとしてのモータケース１２と、モータケース１２の後方に配置され、モータ３１に対して電力を供給するための電力コードやスイッチ等の給電機器が収納されたカバー部材としてのテールカバー１４とを主要な構成部材として形成されている。ギアケース１３は、モータケース１２の前側にインナーケース１６を介在させて前方から螺入する４つのネジ１７ａ，１７ｂ，１７ｃ，１７ｄにより連結されており、ギアケース１３の内部にはモータ３１からの回転駆動力を砥石２１に伝達するための複数の傘歯車等からなる駆動力伝達部２０が収納されている。
【００１７】
モータケース１２は、樹脂又はアルミニウム合金等の金属によって筒状に形成されおりその外周は、使用者によって把持される把持部１２ａとして形成されている。把持部１２ａは、使用者が把持し易いように略円筒状に形成されており、その表面には、滑り止めのための凹凸形状が形成されている。
【００１８】
ギアケース１３は、アルミニウム合金などの金属製の部材により形成されている。ギアケース１３の後方は開口しており、この開口側にインナーケース１６が設置されている。ギアケース１３は、その下部に螺着された蓋部材１３ａを有しており、蓋部材１３ａの下部に砥石２１の約半分を上方及び後方から覆う安全カバー２２が設置されている。安全カバー２２は、砥石２１の加工により発生する切粉等の使用者側への飛散防止等を目的として装備されている。
【００１９】
モータケース１２の内部には砥石２１を駆動するための駆動源となるモータ３１の主要部が収納されている。モータ３１は、回転軸であるモータ軸３２を備えており、モータ軸３２の前端部は、ギアケース１３の内部に突出している。駆動伝達部２０は、モータ軸３２の前端部に固定される小傘歯車２３と、モータ軸３２に対して直交して配置されるスピンドル２７と、スピンドル２７を回転自在に支持する軸受け２５，２６と、スピンドル２７に固定され小傘歯車２３と噛み合う大傘歯車２４とを備えている。この駆動伝達部２０により、モータ軸３２の回転駆動が減速されてスピンドル２７へと伝達される。なお、本実施形態においては、モータ軸３２に対してスピンドル２７を直交して配置したが、傘歯車の諸元等を適宜変更することで直交以外の交差角を採用することも可能である。
【００２０】
スピンドル２７の下端部は蓋部材１３ａから下方に突出しており、ここに回転工具である砥石２１が回転工具固定部２８により取り付けられている。回転工具固定部２８は、スピンドル２７の下端部に相対回転不能に挿通されるホルダー２８ａと、ホルダー２８ａの下方においてスピンドル２７の下端部に形成された雄ネジに螺合するナット２８ｂとを備えており、ナット２８ｂの螺入によりホルダー２８ａとナット２８ｂとで砥石２１を挟持することで、砥石２１のスピンドル２７への取り付けが実行される。砥石２１の取り付け時は、図５等に示されるスピンドルロック機構２９を操作して、ナット２８ｂの締め付けによるスピンドル２７の連れ回りを防止する。なお、スピンドルロック機構２９は従来公知のものなので、詳細な説明は省略する。
【００２１】
インナーケース１６の後方には、モータ３１を冷却するための冷却風を発生させる冷却ファン１９がモータ軸３２に固定されている。冷却ファン１９がモータ３１の運転により回転することで、ハウジング１１の後部に形成された開口から外気が取り入れられ、モータ３１等を冷却した後、ギアケース１３の前面に形成された複数の風窓１８等から外部へと排出される。
【００２２】
以上、本発明の第一の実施形態に係る手持ち式電動グラインダ１０の基本構造について説明した。次に、図６〜図８を参照図に加えて、本発明の第一の実施形態に係る手持ち式電動グラインダ１０の特徴部分について説明する。
【００２３】
ここで、図６は図３におけるＣ−Ｃ断面の要部を示す図である。図７は図２におけるＤ−Ｄ断面を示す図である。図８は本発明の第一の実施形態に係る手持ち式電動グラインダを右方から見た図の要部であり、ギアケースカバーを非装着で使用する場合を示している。
【００２４】
本発明の第一の実施形態に係る手持ち式電動グラインダ１０には、ギアケース１３を上方から覆う樹脂製のギアケースカバー４１が装着されている。なお、本実施形態の手持ち式電動グラインダ１０は、図８で示されるギアケースカバー４１が非装着の状態でも使用することが可能となっている。ギアケースカバー４１は、ギアケース１３に装着されており、その形状は、ギアケース１３の外郭形状に沿った形状として形成されている。また、ギアケースカバー４１には、ギアケース１３の風窓１８の前側に隣接した箇所に風窓１８と連通する開口４４が形成されている。
【００２５】
ギアケースカバー４１は、ギアケース１３を覆った状態で、ギアケースカバー４１の上部左右両側に形成された座繰り付きのネジ挿通孔４２ａ，４２ｂにネジ１７ａ，１７ｂを前方から挿通して螺着するとともに、図７にてよく示されるように、ギアケース１３の左右両側部に形成された被係止部１３ｂ，１３ｂにギアケースカバー４１の下部左右両側に形成された断面視略Ｌ字形状の係止部４３，４３を係止することでギアケース１３に装着される。ギアケースカバー４１を螺着するネジ１７ａ，１７ｂは、図８に示されるように、手持ち式電動グラインダ１０をギアケースカバー４１が非装着の状態で使用する場合に、ギアケース１３をモータケース１２に連結するための用いられていた４つのネジ１７ａ，１７ｂ，１７ｃ，１７ｄの内、上側に位置する２つのネジである。また、被係止部１３ｂ，１３ｂは、ギアケース１３の側面外郭をなす垂れ壁の下縁である。なお、本実施形態においては、ネジ１７ａ，１７ｂの螺着のためにネジ挿通孔４２ａ，４２ｂを採用したが、ネジ挿通溝として形成することもできる。
【００２６】
このように、本実施形態においては、ギアケースカバー４１のギアケース１３への装着は、ネジ１７ａ，１７ｂによる螺着と、係止部４３，４３の被係止部１３ｂ、１３ｂへの係止とを併用して実行されるので、容易に装着することができるとともに安定した装着状態を維持することができる。
【００２７】
また、ギアケースカバー４１の螺着は、４つのネジ１７ａ，１７ｂ，１７ｃ，１７ｄの一部である２つのネジ１７ａ，１７ｂを利用して行われるので、ギアケースカバー４１を着脱する際に、残り２つのネジ１７ｃ，１７ｄは、ギアケース１３をハウジング１１に螺着した状態を維持している。したがって、ギアケースカバー４１の着脱作業で以下に述べる状態が発生しない。すなわち、４つ全てのネジ（ネジ１７ａ，１７ｂ，１７ｃ，１７ｄ）を使用してギアケースカバー４１を螺着する構成を採用した場合には、ギアケースカバー４１を着脱する際に４つ全てのネジ（ネジ１７ａ，１７ｂ，１７ｃ，１７ｄ）が取り外された状態が発生する。この状態は、ギアケース１３およびギアケース１３に支持されている部材である小傘歯車２３を除く駆動伝達部２０等が、ハウジング１１から離脱し得る不安定な状態である。本実施形態においては、このような不安定な状態の発生を回避することができるので、ギアケースカバー４１の着脱作業において不具合が起こる可能性を排除できる。
【００２８】
また、ギアケースカバー４１は、ギアケース１３の外郭形状に沿った形状として形成されているので、装置の大型化を抑制することができる。さらに、砥石２１による切断作業において、ギアケースカバー４１の装着によって切込み最大深さが減少することを抑制することができる。
【００２９】
以上、本発明の第一の実施形態に係る手持ち式電動グラインダについて説明した。次に、図９〜図１４を参照して、本発明の第二の実施形態に係る手持ち式電動グラインダについて説明する。なお、本発明の第二の実施形態に係る手持ち式電動グラインダの基本構造は、第一の実施形態に係る手持ち式電動グラインダと同じ構造であるので、以下の説明は、その特徴部分を中心に行う。また、第一の実施形態に係る手持ち式電動グラインダと同じ部材については同じ符号を付し、詳細な説明は省略している。
【００３０】
ここで、図９は本発明の第二の実施形態に係る手持ち式電動グラインダを上方から見た図の要部である。図１０は本発明の第二の実施形態に係る手持ち式電動グラインダを右方から見た図の要部である。図１１は本発明の第二の実施形態に係る手持ち式電動グラインダを前方から見た図である。図１２は図１１におけるＥ−Ｅ断面の要部を示す図である。図１３は図１１におけるＦ−Ｆ断面の要部を示す図である。図１４は本発明の第二の実施形態に係る手持ち式電動グラインダを右方から見た図の要部であり、ギアケースカバーを非装着で使用する場合を示している。また、本明細書では、図中に示すように「前、後、左、右、上、下」を規定して説明する。
【００３１】
本発明の第二の実施形態に係る手持ち式電動グラインダ１００は、アルミニウム合金などの金属製の部材により形成されたギアケース１１３を備えている。また、ギアケース１１３は、その下部に螺着された蓋部材１１３ａを有している。ギアケース１１３にはギアケース１１３を上方から覆う樹脂製のギアケースカバー１４１が装着されている。なお、本実施形態の手持ち式電動グラインダは、図１４で示されるギアケースカバー１４１が非装着の状態でも使用することが可能となっている。ギアケースカバー１４１の形状は、ギアケース１１３の外郭形状に沿った形状として形成されており、ギアケース１１３の風窓１１８の前側に隣接した箇所には風窓１１８と連通する開口１４４が形成されている。また、ギアケースカバー１４１は、ギアケース１１３をモータケース１２に連結するための４つのネジ１７ａ，１７ｂ，１７ｃ，１７ｄの内、上側に位置する２つのネジ１７ａ，１７ｂを覆って隠している。
【００３２】
ギアケースカバー１４１のギアケース１１３への装着は、ギアケース１１３に形成された複数の被係止部にギアケースカバー１４１に形成された複数の係止部をそれぞれ係止することで実行される。以下にその詳細について説明する。
【００３３】
ギアケース１１３の後端部の上部左右両側には上側凸形状１１３ｂ，１１３ｂが、下部左右両側には下側凸形状１１３ｃ，１１３ｃが形成されている。ギアケースカバー１４１には、上側凸形状１１３ｂ，１１３ｂと下側凸形状１１３ｃ，１１３ｃにそれぞれ係止する上側係止部１４３ｂ，１４３ｂと下側係止部１４３ｃ，１４３ｃが形成されている。上側係止部１４３ｂ，１４３ｂと下側係止部１４３ｃ，１４３ｃは、図１３に示されるように、断面視略Ｌ字形状として形成されている。ギアケースカバー１４１の前端下部には、図１２に示されるように、蓋部材１１３ａの前端の鍔部に係止する前側係止部１４３ｄが断面視略Ｌ字形状として形成されている。上側係止部１４３ｂ，１４３ｂ、下側係止部１４３ｃ，１４３ｃおよび前側係止部１４３ｄが、被係止部である上側凸形状１１３ｂ，１１３ｂ、下側凸形状１１３ｃ，１１３ｃおよび蓋部材１１３ａの前端の鍔部とそれぞれ係止することで、ギアケースカバー１４１のギアケース１１３への装着が実行される。また、これらの被係止部は、側面視で離間した３箇所に形成されており、この３箇所を結ぶ線は三角形を形成している。
【００３４】
次に、ギアケースカバー１４１をギアケース１１３へ装着する作業について説明する。ギアケースカバー１４１をギアケース１１３へ装着する作業は、まず、ギアケース１１３へ上方からギアケースカバー１４１を接近させて上側凸形状１１３ｂ，１１３ｂへ上側係止部１４３ｂ，１４３ｂを係止させる。この時、ギアケースカバー１４１の前部は、ギアケース１１３から上方へ離間している。すなわち、図１２に示す装着状態に対して上側凸形状１１３ｂ，１１３ｂを中心として反時計回りに３０度程度回動した状態にある。次に、係止した上側凸形状１１３ｂ，１１３ｂを中心としてギアケースカバー１４３を時計回りに回動させる。この回動により前側係止部１４３ｄが蓋部材１１３ａの前端の鍔部に係止し、同時に、下側係止部１４３ｃ、１４３ｃが、それぞれ弾性変形により下側凸形状１１３ｃ，１１３ｃを回避しながら通過した後、弾性復元力により下側凸形状１１３ｃ，１１３ｃへ係止する。なお、下側係止部１４３ｃ、１４３ｃの弾性変形は、作業者が下側係止部１４３ｃ、１４３ｃを操作して弾性変形させる形態と、ギアケースカバー１４３の回動に伴い下側係止部１４３ｃ、１４３ｃが下側凸形状１１３ｃ，１１３ｃに隣接して形成された誘導面に摺接することで押圧されて弾性変形する形態があるが、本実施形態では、前者の場合について例示している。
【００３５】
このように、本発明の第二の実施形態に係る手持ち式電動グラインダ１００においては、上側係止部１４３ｂ，１４３ｂ、下側係止部１４３ｃ，１４３ｃおよび前側係止部１４３ｄが、被係止部である上側凸形状１１３ｂ，１１３ｂ、下側凸形状１１３ｃ，１１３ｃおよび蓋部材１１３ａの前端の鍔部とそれぞれ係止し、さらに、下側係止部１４３ｃ、１４３ｃは、弾性復元力により係止状態となるので、容易に装着することができるとともに安定した装着状態を維持することができる。
【００３６】
また、本発明の第二の実施形態に係る手持ち式電動グラインダ１００においては、被係止部が側面視で離間した３箇所に形成されており、この３箇所を結ぶ線は三角形を形成しているのでより安定した装着状態を実現できる。
【００３７】
以上、本発明の好適な実施形態について説明したが、本発明の技術的範囲は上記実施形態に記載の範囲に限定さない。上記実施形態には、多様な変更又は改良を加えることが可能である。
【００３８】
たとえば、上述の本発明の第二の実施形態においては、ギアケースカバー１４１をギアケース１１３へ装着するために、上側係止部１４３ｂ，１４３ｂ、下側係止部１４３ｃ，１４３ｃおよび前側係止部１４３ｄをそれぞれ被係止部へ係止させる構成としたが、例えば、上側係止部１４３ｂ，１４３ｂと下側係止部１４３ｃ，１４３ｃの係止により好適な装着状態が得られる場合は、前側係止部１４３ｄの被係止部（蓋部材１１３ａの前端の鍔部）への係止を行わない構成、すなわち、前側係止部１４３ｄを形成しない構成とすることもできる。
【００３９】
また、たとえば、上述の第二の実施形態を改良して、ギアケースカバー１４１の装着状態をさらに安定させることができる。すなわち、上述の第二の実施形態においては、下側係止部１４３ｃ、１４３ｃが、それぞれ弾性変形により下側凸形状１１３ｃ，１１３ｃを回避しながら通過した後、弾性復元力により下側凸形状１１３ｃ，１１３ｃへ係止するように構成したので、ギアケースカバー１４１を取り外す際も、下側係止部１４３ｃ、１４３ｃを弾性変形させて下側凸形状１１３ｃ，１１３ｃへの係止状態を解除することが必要となる。そこで、下側係止部１４３ｃ、１４３ｃの弾性変形を安全カバー２２の上面が当接して規制するように構成することで、使用中にギアケースカバー１４１が被加工材等に接触した場合でも容易に係止状態が解除しないようにするができる。このように構成することで、ギアケースカバー１４１の脱落を効果的に防止することができる。なお、この構成を採用する場合は、ギアケースカバー１４１をギアケース１１３へ装着する時には、安全カバー２２を予め取り外しておくことが必要となる。
【符号の説明】
【００４０】
１０  手持ち式電動グラインダ、１１  ハウジング、１２  モータケース、１２ａ  把持部、１３  ギアケース、１３ａ  蓋部材、１３ｂ  被係止部、１４  テールカバー、１６  インナーケース、１６ａ  インナーケース側周状凹凸部、１７  前部ベアリング、１７ａ〜１７ｄ  ネジ、１８  風窓、１９  冷却ファン、２０  駆動伝達部、２１  砥石、２２  安全カバー、２３  小傘歯車、２４  大傘歯車、２５  軸受け、２６  軸受け、２７  スピンドル、２８  回転工具固定部、２８ａ  ホルダー、２８ｂ  固定ナット、２９  スピンドルロック機構、３１  モータ、３２  モータ軸、４１  ギアケースカバー、４２ａ  ネジ挿通孔、４２ｂ  ネジ挿通孔、４３  係止部、４４  開口、１００  手持ち式電動グラインダ、１１３  ギアケース、１１３ａ  蓋部材、１１３ｂ  上側凸形状、１１３ｃ  下側凸形状、１１８  風窓、１４１  ギアケースカバー、１４３ｂ  上側係止部、１４３ｃ  下側係止部、１４３ｄ  前側係止部、１４４  開口  
【図１】
2015205381.tif 000003
【図２】
2015205381.tif 000004
【図３】
2015205381.tif 000005
【図４】
2015205381.tif 000006
【図５】
2015205381.tif 000007
【図６】
2015205381.tif 000008
【図７】
2015205381.tif 000009
【図８】
2015205381.tif 000010
【図９】
2015205381.tif 000011
【図１０】
2015205381.tif 000012
【図１１】
2015205381.tif 000013
【図１２】
2015205381.tif 000014
【図１３】
2015205381.tif 000015
【図１４】
2015205381.tif 000016